(57)【要約】【課題】蓋部材で箱本体の開口を一旦閉成させた場合には、蓋部材の自由な開閉移動を良好に規制することができる錠装置及び収納箱装置を提供すること。【解決手段】開口１１が形成された箱本体１０と、箱本体１０にヒンジ機構１３を介して上下方向に沿って回動可能に配設され、下方に向けて閉移動する場合には開口１１を閉成させる蓋部材２０との間に介在し、開口１１を閉成させた蓋部材２０が自由に開移動することを規制する錠装置３０において、基端部３４２に設けられた軸部３４２ａの中心軸を中心として先端部の係合ロッド３４３が前後方向に沿って回動可能に蓋部材２０に配設された掛部３４と、箱本体１０に配設され、掛部３４の係合ロッド３４３と係合可能な形状をなす受部３５とを備え、掛部３４がフリーな状態で蓋部材２０が開口１１を閉成させる場合には、掛部３４の係合ロッド３４３が受部３５の下方域に位置させるようにしたものである。【選択図】図５
2010222858.tif 000002
【特許請求の範囲】
【請求項１】
開口が形成された箱本体と、
前記箱本体の開口縁部にヒンジ機構を介して上下方向に沿って回動可能に配設され、上方に向けて開移動する場合には前記開口を開成させる一方、下方に向けて閉移動する場合には前記開口を閉成させる蓋部材と
の間に介在し、前記開口を閉成させた前記蓋部材が自由に開移動することを規制する錠装置において、
基端部に設けられた軸部の中心軸を中心として先端部が前後方向に沿って回動可能に前記蓋部材に配設された掛部と、
前記箱本体に配設され、前記掛部の先端部と係合可能な形状をなす受部と
を備え、前記掛部がフリーな状態で前記蓋部材が前記開口を閉成させる場合には、該掛部の先端部が前記受部の下方域に位置させるようにしたことを特徴とする錠装置。
【請求項２】
前記受部は、下方に向けて開口し、かつ前記掛部の先端部と係合可能な凹部を有してなり、前記掛部がフリーな状態で前記蓋部材が前記開口を閉成させる場合には、前記凹部が前記掛部の先端部及び前記軸部とともに一直線上に位置するようスペーサ部材を介して前記箱本体に配設されたことを特徴とする請求項１に記載の錠装置。
【請求項３】
自身が後方に向けて回動する前記掛部の少なくとも一部に当接して、該掛部の回動量を規制する規制片を備えたことを特徴とする請求項１又は請求項２に記載の錠装置。
【請求項４】
前記掛部の前方域を覆い、かつ前方に向けて回動する前記掛部の少なくとも一部に当接して、該掛部の回動量を規制するカバー部材を備えたことを特徴とする請求項１〜３のいずれか一つに記載の錠装置。
【請求項５】
前記掛部は、自身の軸状部の中心軸回りに上下方向に沿って回動可能となるレバー部材を介して前記蓋部材に配設され、前記蓋部材が前記開口を閉成させた状態で前記レバー部材が上方に向けて回動された場合に前記先端部が前記受部と係合することを特徴とする請求項１〜４のいずれか一つに記載の錠装置。
【請求項６】
請求項１〜５のいずれか一つに記載の錠装置を備えたことを特徴とする収納箱装置。
【発明の詳細な説明】
【技術分野】
【０００１】
本発明は、錠装置と、この錠装置を備えた収納箱装置とに関するものである。
【背景技術】
【０００２】
従来、マンション等の集合住宅に設置された居住者用のダストボックスに代表される収納箱装置は、上面が開口した箱本体と、箱本体の開口縁部にヒンジ機構を介して上下方向に沿って回動可能に配設され、上方に向けて開移動する場合には開口を開成させる一方、下方に向けて閉移動する場合には開口を閉成させる蓋部材とを備えている。そして、箱本体の開口を閉成した蓋部材が自由に開移動することを規制するために錠装置が設けられているのが一般的である。
【０００３】
かかる錠装置は、箱本体に固着された受金と、蓋部材に上下方向に沿って回動可能に配設されたレバー部材と、レバー部材に回動自在に配設された掛金とを備えて構成されている。
【０００４】
このような錠装置においては、箱本体の開口を蓋部材で閉成させた場合に、掛金を回動させて該掛金の先端部を受金の下方域に移動させ、その後にレバー部材を例えば下方に回動させることにより、掛金の先端部を受金に係合させて蓋部材が自由に開移動することを規制している（例えば、特許文献１参照）。
【先行技術文献】
【特許文献】
【０００５】
【特許文献１】特許第３４４１４１９号公報
【発明の概要】
【発明が解決しようとする課題】
【０００６】
ところが、上述したような錠装置においては、箱本体の開口を閉成した蓋部材の自由な開移動を規制するためには、蓋部材で開口を閉成させた後に掛金を回動させてその先端部を受金の下方域に都度移動させなければならず、利用者にとっては煩雑なものであった。そのため、蓋部材で開口を閉成させた後に掛金を回動させることが忘れられてしまい、開口を閉成した蓋部材が自由に開閉移動してしまう虞れがあった。特に、マンション等の集合住宅に設置された居住者用のダストボックスのような収納箱装置においては、利用者が居住者に限られているとはいえ不特定の者が利用するものであり、蓋部材で箱本体の開口を閉成させた後に掛金を回動させることが忘れられて行われず、蓋部材がフリーな状態で開口を閉成している場合があった。かかる場合、風等の影響により蓋部材が自由に開閉移動して、箱本体の開口縁部、あるいはその他の個所に当接して異音を発生させたり、ヒンジ機構に過大な負荷がかかり破損等を生じさせたりする虞れがある。尚、ここでは収納箱装置の代表的な例としてダストボックスについて説明したが、本発明の課題はダストボックスに限られず、開口が形成された箱本体と、該開口を開閉する蓋部材とを有するものであれば、同様な問題が生ずることはいうまでもない。
【０００７】
本発明は、上記実情に鑑みて、蓋部材で箱本体の開口を一旦閉成させた場合には、蓋部材の自由な開閉移動を良好に規制することができる錠装置及び収納箱装置を提供することを目的とする。
【課題を解決するための手段】
【０００８】
上記目的を達成するために、本発明の請求項１に係る錠装置は、開口が形成された箱本体と、前記箱本体の開口縁部にヒンジ機構を介して上下方向に沿って回動可能に配設され、上方に向けて開移動する場合には前記開口を開成させる一方、下方に向けて閉移動する場合には前記開口を閉成させる蓋部材との間に介在し、前記開口を閉成させた前記蓋部材が自由に開移動することを規制する錠装置において、基端部に設けられた軸部の中心軸を中心として先端部が前後方向に沿って回動可能に前記蓋部材に配設された掛部と、前記箱本体に配設され、前記掛部の先端部と係合可能な形状をなす受部とを備え、前記掛部がフリーな状態で前記蓋部材が前記開口を閉成させる場合には、該掛部の先端部が前記受部の下方域に位置させるようにしたことを特徴とする。
【０００９】
このように基端部に設けられた軸部の中心軸を中心として先端部が前後方向に沿って回動可能に蓋部材に配設された掛部と、箱本体に配設され、掛部の先端部と係合可能な形状をなす受部とを備え、掛部がフリーな状態で蓋部材が開口を閉成させる場合には、該掛部の先端部が受部の下方域に位置させるようにしたので、蓋部材が上方に向けて僅かに開移動すると掛部の先端部が受部に当接してそれ以上の開移動を規制することができる。
【００１０】
また、本発明の請求項２に係る錠装置は、上述した請求項１において、前記受部は、下方に向けて開口し、かつ前記掛部の先端部と係合可能な凹部を有してなり、前記掛部がフリーな状態で前記蓋部材が前記開口を閉成させる場合には、前記凹部が前記掛部の先端部及び前記軸部とともに一直線上に位置するようスペーサ部材を介して前記箱本体に配設されたことを特徴とする。
【００１１】
このように掛部がフリーな状態で蓋部材が開口を閉成させる場合には、凹部が掛部の先端部及び軸部とともに一直線上に位置するようスペーサ部材を介して受部を箱本体に配設されたので、蓋部材が上方に向けて僅かに開移動すると掛部の先端部が受部の凹部に進入可能になり、該凹部に進入した後に当接することにより蓋部材がそれ以上開移動することを規制することができる。
【００１２】
また、本発明の請求項３に係る錠装置は、上述した請求項１又は請求項２において、自身が後方に向けて回動する前記掛部の少なくとも一部に当接して、該掛部の回動量を規制する規制片を備えたことを特徴とする。
【００１３】
このように規制片が後方に向けて回動する掛部の少なくとも一部に当接して、該掛部の回動量を規制するので、蓋部材を閉移動させる際に、蓋部材と箱本体との間に掛部が進入して挟み込む事態を回避することができ、これにより掛部の破損、並びに開口を確実に閉成させることができる。
【００１４】
また、本発明の請求項４に係る錠装置は、上述した請求項１〜３のいずれか一つにおいて、前記掛部の前方域を覆い、かつ前方に向けて回動する前記掛部の少なくとも一部に当接して、該掛部の回動量を規制するカバー部材を備えたことを特徴とする。
【００１５】
このように掛部の前方域を覆うカバー部材が、前方に向けて回動する掛部の少なくとも一部に当接して、該掛部の回動量を規制するので、掛部の回動範囲を規定することができるとともに、利用者が掛部を直接把持して蓋部材を開閉することを回避できる。これにより、掛部が破損してしまう事態を良好に回避することができる。
【００１６】
また、本発明の請求項５に係る錠装置は、上述した請求項１〜４のいずれか一つにおいて、前記掛部は、自身の軸状部の中心軸回りに上下方向に沿って回動可能となるレバー部材を介して前記蓋部材に配設され、前記蓋部材が前記開口を閉成させた状態で前記レバー部材が上方に向けて回動された場合に前記先端部が前記受部と係合することを特徴とする。
【００１７】
このように掛部が、自身の軸状部の中心軸回りに上下方向に沿って回動可能となるレバー部材を介して蓋部材に配設されており、蓋部材が開口を閉成させた状態でレバー部材が上方に向けて回動された場合に掛部の先端部が受部と係合するので、蓋部材による開口の閉成状態を良好に保持することができる。
【００１８】
また、本発明の請求項６に係る収納箱装置は、請求項１〜５のいずれか一つに記載の錠装置を備えたことを特徴とする。
【００１９】
このように上述した錠装置を備えているので、蓋部材が上方に向けて僅かに開移動すると掛部の先端部が受部に当接してそれ以上の開移動を規制することができる。
【発明の効果】
【００２０】
本発明に係る錠装置によれば、蓋部材で開口を一旦閉成させた場合には、蓋部材の自由な開閉移動を良好に規制することができるという効果を奏する。
【００２１】
また、本発明に係る収納箱装置によれば、上述した錠装置を備えているので、蓋部材で開口を一旦閉成させた場合には、蓋部材の自由な開閉移動を良好に規制することができるという効果を奏する。
【図面の簡単な説明】
【００２２】
【図１】図１は、本発明の実施の形態である錠装置が適用されたダストボックスを示す正面図である。
【図２】図２は、本発明の実施の形態である錠装置が適用されたダストボックスを示す側面図である。
【図３】図３は、図１及び図２に示した蓋部材の前端部を拡大して示す断面側面図である。
【図４】図４は、図１及び図２に示した箱本体の開口縁部の前端を拡大して示す断面側面図である。
【図５】図５は、蓋部材が上面開口を閉成した場合の錠装置を拡大して示す断面側面図である。
【図６】図６は、図５に示した錠装置の正面図である。
【発明を実施するための形態】
【００２３】
以下に添付図面を参照して、本発明に係る錠装置及び収納箱装置の好適な実施の形態について詳細に説明する。
【００２４】
図１及び図２は、それぞれ本発明の実施の形態である錠装置が適用されたダストボックスを示すものであり、図１は正面図であり、図２は側面図である。ここで例示するダストボックス１は、例えばマンション等の集合住宅に設置された居住者用の収納箱装置であり、箱本体１０、蓋部材２０及び錠装置３０を備えて構成してある。
【００２５】
箱本体１０は、鋼板等で形成されてなり、上面が前方に向けて漸次低くなるよう傾斜した直方状のものである。このような箱本体１０は、上面に開口（以下、上面開口ともいう）１１が形成してある。
【００２６】
蓋部材２０は、鋼板等で形成された板状体であり、箱本体１０の上面開口１１を覆うのに十分な大きさを有している。この蓋部材２０は、後端部が箱本体１０の開口縁部を構成する上部後縁部１２にヒンジ機構１３により上下方向に沿って回動可能に配設してある。これにより、蓋部材２０は、上方に向けて回動、すなわち開移動する場合には箱本体１０の上面開口１１を開成させる一方、下方に向けて回動、すなわち閉移動する場合には上面開口１１を閉成させるものである。
【００２７】
このような蓋部材２０の前端部には把手部２１が設けてある。この把手部２１は、蓋部材２０を開移動、あるいは閉移動させる際に利用者が把持する部位である。尚、図２中の符号２２は、ダンパー部材である。
【００２８】
錠装置３０は、箱本体１０と蓋部材２０との間に介在しており、図３及び図４に示すように、支持プレート３１、カバープレート３２、レバー部材３３、掛部３４及び受部３５を備えて構成してある。
【００２９】
支持プレート３１は、鋼板等により形成されたプレート部材であり、基端部３１１がビス等の締結部材３１１ａにより蓋部材２０の前端部２３に固定支持されている。この支持プレート３１の先端部には、前方に向けて屈曲されることにより規制片３１２が形成してある。
【００３０】
カバープレート３２は、鋼板等により形成されたプレート部材であり、図６にも示すようにその中央部に矩形状の開口（以下、中央開口ともいう）３２１が形成してある。このようなカバープレート３２は、屈曲加工が施されており、基部３２２と、前延傾斜部３２３と、カバー部３２４とを備えている。基部３２２は、その前面が支持プレート３１の後面に接した状態でビス等により支持プレート３１に固着された部位である。前延傾斜部３２３は、基部３２２の先端から前方に向けて傾斜して延在する部位であり、支持プレート３１が中央開口３２１を挿通することを許容している。カバー部３２４は、前延傾斜部３２３の延在端より下方に向けて延在する部位であり、掛部３４の前方域を覆うのに十分な大きさを有している。
【００３１】
レバー部材３３は、支持プレート３１の前面にネジ等の締結部材３３１を通じて固着されたベース３３２に前方に向けて突出して設けられた突片３３３に支持されている。より詳細には、レバー部材３３は、基端部３３４に設けられた自身の軸状部３３４ａの中心軸を中心として、その中心軸回りに上下方向に沿って回動可能に突片３３３に支持されている。このレバー部材３３は、図３に示すようにフリーな状態にある場合には、自身の一部がカバープレート３２の中央開口３２１の下端側開口縁部３２１ａに当接することにより下方に向けての回動が規制されている。
【００３２】
尚、図３中の符号３３５は、ベース３３２に設けられた取付片である。かかる取付片３３５は、詳細は後述するが、レバー部材３３を上方に向けて回動させた場合に、該レバー部材３３に形成された挿通孔３３ａを挿通し、自身に形成された貫通孔３３５ａに南京錠等の錠部材の貫通を許容するものである。
【００３３】
掛部３４は、図６に示すように、左右一対となるアーム部３４１を有しており、互いのアーム部３４１の基端部３４２には同一直線上に延在する軸部３４２ａが設けられ、該軸部３４２ａの中心軸回りに回動可能にレバー部材３３に軸支されている。より詳細に説明すると、それぞれのアーム部３４１に設けられた軸部３４２ａがレバー部材３３に設けられた図示せぬ孔に挿通することにより、掛部３４は、軸部３４２ａの中心軸回りに回動可能にレバー部材３３に軸支されている。これらアーム部３４１は、カバープレート３２の中央開口３２１を挿通しており、それぞれの先端部には互いを連結する係合ロッド３４３が設けてある。
【００３４】
このように掛部３４は、基端部３４２に設けられた軸部３４２ａの中心軸を中心として先端部が前後方向に沿って回動可能にレバー部材３３を介して蓋部材２０に配設してある。そして、掛部３４の先端部（アーム部３４１の先端部）は、支持プレート３１の規制片３１２により後方への回動が規制され、かつカバープレート３２のカバー部３２４により前方への回動が規制されている。また、掛部３４は、フリーな状態にあって、蓋部材２０が閉移動して上面開口１１を閉成させた場合には、規制片３１２に当接する姿勢になるように予め調整してある。
【００３５】
受部３５は、下方に開口し、かつ係合ロッド３４３に適合する大きさ及び形状を有する凹部３５１を備えている。この受部３５は、図４に示すように、箱本体１０の開口縁部、より詳細には箱本体１０の前壁部１０ａの上端に設けられた固定枠１０ｂにスペーサ部材３５２を介してビス等の締結部材３５３ａで固着してある。このようにスペーサ部材３５２を介在させて受部３５を固着させることにより、受部３５の凹部３５１を固定枠１０ｂから前方に十分離間させた位置に配置させることができる。ここで、受部３５の凹部３５１の固定枠１０ｂからの離間距離（すなわちスペーサ部材３５２の厚み）は、蓋部材２０が上面開口１１を閉成させた場合に上記掛部３４の先端部（係合ロッド３４３）が受部３５の下方域に位置することができる大きさに予め調整してある。より詳細には、掛部３４がフリーな状態で蓋部材２０が上面開口１１を閉成させる場合には、凹部３５１が係合ロッド３４３（掛部３４の先端部）及び軸部３４２ａとともに一直線上に位置するようにスペーサ部材３５２の厚みを調整してある。
【００３６】
以上のような構成を有するダストボックス１においては、蓋部材２０が開移動して上面開口１１が開成した状態にある場合に、利用者が該蓋部材２０を閉移動させると次のようになる。蓋部材２０の前端部２３に配設されたレバー部材３３及び掛部３４はともにフリーな状態になっており、レバー部材３３は、中央開口３２１の下端側開口縁部３２１ａに当接した状態にあり、掛部３４は、アーム部３４１の一部が規制片３１２に当接した状態にある（図３参照）。
【００３７】
蓋部材２０の閉移動に伴って、係合ロッド３４３が受部３５の上面に摺接すると、レバー部材３３及び掛部３４は、図５の二点差線で示すように、レバー部材３３が上方に向けて僅かに回動し、かつ掛部３４が前方に向けて僅かに回動する。
【００３８】
その後、閉移動する蓋部材２０が上面開口１１を閉成すると、フリーな状態にあるレバー部材３３及び掛部３４は、レバー部材３３の一部が中央開口３２１の下端側開口縁部３２１ａに当接した状態になり、掛部３４の一部が規制片３１２に当接した状態になり、掛部３４の先端部（係合ロッド３４３）が、図５の鎖線で示すように、受部３５の下方域に位置することになる。
【００３９】
そして、レバー部材３３を上方に向けて回動させ、図６に示すように、レバー部材３３の挿通孔３３ａに取付片３３５を挿通させると、掛部３４の軸部３４２ａは軸状部３３４ａの中心軸回りに回動することになる結果、掛部３４も上方に向けて変位し、これにより掛部３４の係合ロッド３４３が受部３５の凹部３５１に進入して該凹部３５１に係合する。このように係合ロッド３４３を凹部３５１に進入して係合することにより、蓋部材２０を閉成状態に保持することが可能になる。
【００４０】
以上説明したような本発明の実施の形態である錠装置３０によれば、閉移動する蓋部材２０が上面開口１１を閉成すると、フリーな状態にある掛部３４の先端部（係合ロッド３４３）が受部３５の下方域に位置するように調整してあるので、利用者がレバー部材３３を上方に揺動させなくても、上面開口１１を閉成する蓋部材２０が上方に向けて僅かに開移動すると掛部３４の先端部が受部３５に当接してそれ以上の開移動を規制することになる。そのため、蓋部材２０で上面開口１１を一旦閉成させた場合には、蓋部材２０の自由な開閉移動を良好に規制することができる。特に、マンション等の集合住宅に設置された居住者用のダストボックス（収納箱装置）１においては、利用者が居住者に限られているとはいえ不特定の者が利用するものであり、蓋部材２０で上面開口１を閉成させれば、蓋部材２０の自由な開閉移動を規制するので、レバー部材３３の操作を忘れられて行われていなくても、風等の影響により蓋部材２０が自由に開閉移動して、箱本体１０の開口縁部、あるいはその他の個所に当接して異音を発生させたり、ヒンジ機構１３に過大な負荷がかかり破損等を生じさせたりする虞れがない。
【００４１】
上記錠装置３０によれば、支持プレート３１の規制片３１２が掛部３４の後方に向けての揺動量を規制しているので、蓋部材２０を閉移動させる際に、蓋部材２０と箱本体１０との間に掛部３４が進入して挟み込む事態を回避することができる。
【００４２】
また、上記錠装置３０によれば、カバープレート３２のカバー部３２４が掛部３４の前方域を覆っているので、利用者が掛部３４を把持して蓋部材２０を開閉移動させる虞れがなく、掛部３４に過大な負荷がかかって破損してしまうことを防止することができる。
【００４３】
更に、上記錠装置３０によれば、レバー部材３３を上方に向けて回動させ、レバー部材３３の挿通孔３３ａに取付片３３５を挿通させると、掛部３４の軸部３４２ａは軸状部３３４ａの中心軸回りに回動することになる結果、掛部３４も上方に向けて変位し、これにより掛部３４の係合ロッド３４３が受部３５の凹部３５１に進入して係合するので、蓋部材２０による上面開口１１の閉成状態を良好に保持することができる。
【産業上の利用可能性】
【００４４】
以上のように、本発明に係る錠装置は、例えばマンション等の集合住宅に設置された居住者用のダストボックスに代表される収納箱装置のように、箱本体に形成された開口を蓋部材により閉成させるのに有用である。
【符号の説明】
【００４５】
１    ダストボックス（収納箱装置）
１０  箱本体
１０ｂ  固定枠
１１  上面開口
１３  ヒンジ機構
２０  蓋部材
３０  錠装置
３１  支持プレート
３１２  規制片
３２  カバープレート
３２１  中央開口
３２４  カバー部
３３  レバー部材
３３４ａ  軸状部
３４  掛部
３４１  アーム部
３４２ａ  軸部
３４３  係合ロッド
３５  受部
３５１  凹部
３５２  スペーサ部材
【図１】
2010222858.tif 000003
【図２】
2010222858.tif 000004
【図３】
2010222858.tif 000005
【図４】
2010222858.tif 000006
【図５】
2010222858.tif 000007
【図６】
2010222858.tif 000008